【手続補正書】
【提出日】平成17年11月7日(2005.11.7)
【手続補正１】
【補正対象書類名】明細書
【補正対象項目名】特許請求の範囲
【補正方法】変更
【補正の内容】
【特許請求の範囲】
【請求項１】  ラクトペルオキシダーゼ、チオシアン酸塩（ＳＣＮ-）および／またはヨウ化物（Ｉ-）；
過酸化水素供与系、特にグルコースオキシダーゼおよびグルコース；および
植物病原微生物の制御、特に真菌および細菌の制御に使用するため油ベース；を含有する、組成物。
【請求項２】  水性溶液１リットルにつき、
少なくとも１０ｍｇのラクトペルオキシダーゼ；
少なくとも５０ Ｉ.Ｕ.のグルコースオキシダーゼ；
少なくとも０.０５％のグルコース；
少なくとも２５ｍｇのヨウ化物（Ｉ-）；
少なくとも５ｍｇのチオシアン酸塩（ＳＣＮ-）；
所望により最大１％の油ベース
を含む、請求項１記載の組成物。
【請求項３】  水性溶液１リットルにつき、
少なくとも５０ｍｇのラクトペルオキシダーゼ；
少なくとも１００ Ｉ.Ｕ.のグルコースオキシダーゼ；
少なくとも０.１％のグルコース；
少なくとも５０ｍｇのヨウ化物（Ｉ-）；
少なくとも１０ｍｇのチオシアン酸塩（ＳＣＮ-）；
所望により最大０.４％の油ベース
を含む、請求項１または２の組成物。
【請求項４】  水性溶液１リットルにつき、
１０−１００ｍｇのラクトペルオキシダーゼ；
５０−１０００ Ｉ.Ｕ.のグルコースオキシダーゼ；
０.５−２０ｇのグルコース；
２５−２００ｍｇのヨウ化物（Ｉ-）；
５−５０ｍｇのチオシアン酸塩（ＳＣＮ-）；
０.０１−２％（v/v）の油ベース；
を含む、請求項１〜３のいずれか記載の組成物。
【請求項５】  水性溶液１リットルにつき、
５０−１００ｍｇのラクトペルオキシダーゼ；
１００−１０００ Ｉ.Ｕ.のグルコースオキシダーゼ；
１−２０ｇのグルコース；
５０−２００ｍｇのヨウ化物（Ｉ-）；
１０−５０ｍｇのチオシアン酸塩（ＳＣＮ-）；
０.４−２％の油ベース
を含む、請求項１〜４いずれか記載の組成物。
【請求項６】  水性溶液１リットルにつき、
３０−７０ｍｇのラクトペルオキシダーゼ；
１００−２５０ Ｉ.Ｕ.のグルコースオキシダーゼ；
１−１０ｇのグルコース；
５０−１００ｍｇのヨウ化物（Ｉ-）；
１０−２０ｍｇのチオシアン酸塩（ＳＣＮ-）；
０.２−１％（v/v）の油ベース
を含む、請求項１〜５いずれかに記載の組成物。
【請求項７】  油ベースが、少なくとも油と、水中油型エマルションを形成するために、水性溶液中で油を乳化する物質、特に乳化剤からなることを特徴とする、請求項１〜６のいずれかに記載の組成物。
【請求項８】  水性溶液中の油を乳化する物質が油自体からなり、油が自己乳化性を有することを特徴とする、請求項７の組成物。
【請求項９】  油が、鉱物油、植物油および動物油よりなる群から選ばれることを特徴とする、請求項７または８の組成物。
【請求項１０】  植物油が、ピーナッツ油、胡麻油、菜種油、亜麻仁油、ヒマシ油、大豆油、トウモロコシ胚芽油、綿実油よりなる群から選ばれることを特徴とする、請求項９の組成物。
【請求項１１】  動物油が、ニシン油およびサバ油よりなる群から選ばれる魚油であることを特徴とする、請求項９の組成物。
【請求項１２】  鉱物油が、パラフィン油およびケロシンタイプ油よりなる群から選ばれることを特徴とする、請求項９の組成物。
【請求項１３】  組成物がさらに１以上の拡散剤をさらに含有することを特徴とする、請求項１〜１２のいずれかに記載の組成物。
【請求項１４】  拡散剤が非イオン性の表面張力低下物質であって、例えば、Volpo T7（商標）などのエトキシル化アルコールおよび Nathin 130（商標）などのホスファチジル脂質から選ばれることを特徴とする、請求項１３の組成物。
【請求項１５】  拡散剤の濃度が、水性溶液１ルットル当り０.０１−０.２％（v/v）、好ましくは０.０５％（v/v）であることを特徴とする、請求項１３または１４の組成物。
【請求項１６】  油ベースが、
８０−９０、好ましくは８５部の油；
５−１５、好ましくは１０部の乳化剤；
所望により１−１０、好ましくは５部のレシチン・フラクション
から少なくともなることを特徴とする、請求項１〜１５いずれかに記載の組成物。
【請求項１７】  油がピーナッツ油、乳化剤がICI Atlas1087(商標）、レシチン・フラクションがNathin 130（商標）、拡散剤が Volpo T7(商標）であることを特徴とする、請求項１６の組成物。
【請求項１８】  組成物がさらに１以上の接着剤を含むことを特徴とする、請求項１〜１７いずれかに記載の組成物。
【請求項１９】  接着剤が、例えば、デンプン、キサンテンガムやアラビアゴムなどのガム類、カルボキシメチルセルロース（ＣＭＣ）から選ばれることを特徴とする、請求項１８の組成物。
【請求項２０】  水性溶液１リットルにつき、
７０ｍｇのラクトペルオキシダーゼ；
２５０ Ｉ.Ｕ.のグルコースオキシダーゼ；
２.５ｇのグルコース；
１００ｍｇのヨウ化物（Ｉ-）；
２０ｍｇのチオシアン酸塩（ＳＣＮ-）；
８５部のピーナッツ油、１０部のICI Atlas1086(商標）乳化剤、５部のNathin 130（商標）レシチン・フラクション、所望により０.５％の Volpo T7(商標）拡散剤、からなる０.４％の油ベース；
を含む、請求項１〜１９いずれかに記載の組成物。
【請求項２１】  植物、草木およびその部分、特に、花、球根、塊茎、果実などの収穫可能な部分に対する植物病原性細菌および／または真菌を制御する際に使用するための、請求項１〜２０いずれかに記載の組成物。
【請求項２２】  請求項１〜２０のいずれかに記載の組成物の濃縮形態。
【請求項２３】  植物、草木およびその部分に請求項１〜２０のいずれかに記載の組成物を適用することを含む、植物、草木およびその部分に対する植物病原性細菌および／または真菌を制御する方法。
【請求項２４】  組成物が、噴霧、スプリンクラー、噴射、上方噴霧、散水、浸積、滴下灌漑の手段で適用されることを特徴とする、請求項２３の方法。
【請求項２５】  請求項１〜２０のいずれかに記載の組成物を形成するためのキットであって、少なくとも１つのラクトペルオキシダーゼおよび所望により添加剤を含む所望により濃縮した酵素組成物、少なくともグルコースオキシダーゼおよびグルコース、チオシアン化塩および／またはヨウ化物および所望により他の添加剤からなる過酸化水素供与組成物、および少なくとも油、所望により乳化剤、所望により拡散剤および所望により他の添加剤からなる油組成物を含み、この３組成物は、本発明の組成物が得られるような比率で使用前に互いに混合されるべきである、キット。
【請求項２６】  植物病原体、特に真菌および／または細菌を制御するための、請求項２５に記載のキット。
【手続補正２】
【補正対象書類名】明細書
【補正対象項目名】０００４
【補正方法】変更
【補正の内容】
【０００４】
従って、本発明の目的は、上記したような欠点がなく、草木の病原性細菌および真菌をその場で制御するのに用い得る新しい農薬（殺微生物剤）を提供することである。
【手続補正３】
【補正対象書類名】明細書
【補正対象項目名】００１１
【補正方法】変更
【補正の内容】
【００１１】
本発明の組成物は、例えば、水性溶液１リットルにつき、少なくとも１０ｍｇのラクトペルオキシダーゼ；少なくとも５０Ｉ．Ｅのグルコースオキシダーゼ；少なくとも０．０５％のグルコース；少なくとも２５ｍｇのヨード化物（Ｉ-）；少なくとも５ｍｇのチオシアン酸塩（ＳＣＮ-）；所望により最大１％の油ベースを含む。最大０．２％の拡散剤が所望によりさらに存在し得る。  本発明の組成物は、好ましくは、水性溶液１リットルにつき、少なくとも５０ｍｇのラクトペルオキシダーゼ；少なくとも１００Ｉ．Ｅのグルコースオキシダーゼ；少なくとも０．１％のグルコース；少なくとも５０ｍｇのヨウ化物（Ｉ-）；少なくとも１０ｍｇのチオシアン酸塩（ＳＣＮ-）；所望により最大０．１％の油ベースを含む。最大０．１％の拡散剤が所望によりさらに存在し得る。
【手続補正４】
【補正対象書類名】明細書
【補正対象項目名】００１２
【補正方法】変更
【補正の内容】
【００１２】
組成物の優れた活性が得られるのは、組成物が水性溶液１リットルにつき、１０−１００ｍｇ、好ましくは３０−７０ｍｇのラクトペルオキシダーゼ；５０−１０００Ｉ．Ｅ、好ましくは１００−２５０Ｉ．Ｅのグルコースオキシダーゼ；０．０５−２％、好ましくは０．１−１％のグルコース；２５−２００ｍｇ、好ましくは５０−１００ｍｇのヨウ化物（Ｉ-）；５−５０ｍｇ、好ましくは１０−２０ｍｇのチオシアン酸塩（ＳＣＮ-）；所望により０．０１−２％、好ましくは０．２−１％の油ベースを含む。所望により加えられる拡散剤は、０．０１−０．２％、好ましくは０．０５−０．０７である。
【手続補正５】
【補正対象書類名】明細書
【補正対象項目名】００１３
【補正方法】変更
【補正の内容】
【００１３】
油ベースは、少なくとも油と水性溶液中の油を乳化する物質とから常になり、水中油型エマルションを形成する。乳化する物質は、単独の乳化剤であり得るが、油自体で形成されることもある。この場合、油が自己乳化性を有す。この自己乳化性油の製造は、油の修飾、例えばエトキシル化によりなされる。当業者は、その専門知識を基に特定の油に最も適した乳化剤を選択できる。
【手続補正６】
【補正対象書類名】明細書
【補正対象項目名】００１７
【補正方法】変更
【補正の内容】
【００１７】
処理する表面への組成物の分布をさらに容易にするために、１以上の拡散剤を組成物または油ベースに加えることができる。この分野の当業者は適当な拡散剤の選択が容易にできる。この拡散剤は通常、非イオン性の表面張力低下物質である。エトキシ化アルコール、例えば Volpo T7（商標）およびホスファチジルリピド、例えば Nathin 130（商標）が推奨される。
【手続補正７】
【補正対象書類名】明細書
【補正対象項目名】００１９
【補正方法】変更
【補正の内容】
【００１９】
好ましい態様において、本発明の組成物は、ピーナッツ油からなる油ベース、乳化剤 Atlas 1086 (ICI)（商標）などのポリオキシエチレン・ソルビトール・ヘキサオレエート、および Nathin (ENR)(商標）などのホスファチジルリピドからなるレシチン・フラクション、さらに volpo T7 (CRODA)（商標）などのエトキシ化アルコールを含む。
【手続補正８】
【補正対象書類名】明細書
【補正対象項目名】００２３
【補正方法】変更
【補正の内容】
【００２３】
本発明の特定の態様において、従って、組成物を形成するキットが形成される。キットは、少なくともラクトペルオキシダーゼおよび所望により接着剤からなる所望による濃縮の酵素組成物、少なくともグルコースオキシダーゼおよびグルコース、チオシアン酸塩および／またはヨウ化物および所望により他の添加剤からなる過酸化水素供与組成物、および少なくとも油、所望により乳化剤、所望により拡散剤および所望により他の添加剤からなる油組成物を含む。これらの３組成物は、本発明の組成物が得られるような比率で使用前に、互いに混合される。
【手続補正９】
【補正対象書類名】明細書
【補正対象項目名】００２５
【補正方法】変更
【補正の内容】
【００２５】
本発明の組成物でよく制御される真菌類は、とりわけ下記のものである。Botryotinia spp（ハイイロカビ）、例えば B.fuckeliana (アナテルフィックの Botrytis cinerea)、Didymella spp、例えば D. bryonia（カボチャの Mycospherella）、D. lycopersici（トマトの癌）、Puccunia spp（銹菌）、例えば P. horiana(日本白銹菌）、Sphaerotheca spp（真性ウドンコ病）、例えば S. fuliginea（キウリのウドンコ病）、S. pannose（バラのウドンコ病）、Erysiphe spp、Oidium spp、Leveillula taurica（真性ウドンコ病型）、Fusarium spp（斑点病および／または凋枯病）、Phytophtora spp（毛根病および／または根病）、Pythium spp（毛根の病）、Plasmopara、PeronosporaおよびSclerospora spp（綿毛状ウドンコ病型）、Rhizoctonia、Verticillium、Sclerotinia spp（斑点の原因）、RhizopusおよびPenicillium spp（（貯蔵）腐敗の原因）、Venturia spp（黒星病因）。
【手続補正１０】
【補正対象書類名】明細書
【補正対象項目名】００２７
【補正方法】変更
【補正の内容】
【００２７】
本発明の組成物および方法が使用できるのは、広い意味での植物保護および病原菌制御であって、例えば、農業、園芸、野菜栽培、観葉植物栽培，果実栽培、球根栽培、鉢植植物栽培、林業、室内植物の消費者用産物である。樹木自体に加えて、植物の部分も処置できる。球根、根茎、花、切り枝、果実などである。
【手続補正１１】
【補正対象書類名】明細書
【補正対象項目名】００３８
【補正方法】変更
【補正の内容】
【００３８】
実施例３：Verticillium Lecaniiに対するＩ-を含まない薬剤の活性
この実験は、ＫＩ（Ｉ−１）が存在しない薬剤を用いて実施例１に記載のように行った。酵素系を開始直後の胞子に対する活性のみをここでは試験した。
【手続補正１２】
【補正対象書類名】明細書
【補正対象項目名】００４５
【補正方法】変更
【補正の内容】
【００４５】
打ちぬいた葉にウドンコ病原菌による接種１〜２日間後、バイオアッセイ皿を本発明の種々の薬剤を用いて噴霧した。水および化学噴霧は、対照として包含する。
【手続補正１３】
【補正対象書類名】明細書
【補正対象項目名】００４７
【補正方法】変更
【補正の内容】
【００４７】
ウドンコ病原菌を接種した６〜７日後に、ウドンコ病の出現およびウドンコ病が現れている葉の百分率についてバイオアッセイ皿を調べた。必要で、可能であれば、打ちぬいた葉を再び本発明の薬剤で、ウドンコ病原菌接種７日後に噴霧した。２度目の噴霧５日後、打ちぬいた葉をもう一度調べた。５００ｍｌの薬剤を表２の成分で調製した。
【手続補正１４】
【補正対象書類名】明細書
【補正対象項目名】００４８
【補正方法】変更
【補正の内容】
【００４８】
2001521878.tif 000001
【手続補正１５】
【補正対象書類名】明細書
【補正対象項目名】００５０
【補正方法】変更
【補正の内容】
【００５０】
実施例８：種々のラクトペルオキシダーゼ濃度での薬剤の活性
この実験は、３０ｍg／ｌのラクトペルオキシダーゼの代わりに、濃度１００ｍg／ｌのラクトペルオキシダーゼ（５０ｍｇ／５００ｍｌ）を使用するという違いはあるが、実施例７に記載のように行った。
この濃度で、該薬剤は、Spharotheca fuligineaの約５５〜６５％の対照結果を与えた。
【手続補正１６】
【補正対象書類名】明細書
【補正対象項目名】００５１
【補正方法】変更
【補正の内容】
【００５１】
実施例９：種々のラクトペルオキシダーゼ濃度および油ベースでの薬剤の活性この実験は、実施例７に記載の成分に加えて、ピーナッツ油、乳化剤 Atlas 1086（商標）（ＩＣＩ）および拡散剤Nathin１３０（商標）＋VolpoＴ７（商標）からなる油ベースを添加する違いはあるが、実施例７に記載のように行った。油ベースを１：２５０の濃度で添加した。
【手続補正１７】
【補正対象書類名】明細書
【補正対象項目名】００５３
【補正方法】変更
【補正の内容】
【００５３】
化学対照は、Sphaerotheca fuligineaに対して約８０〜９５％の対照結果を与えた。水は、Sphaerotheca fuligineaに対する顕著な対照結果を示さなかった。
【手続補正１８】
【補正対象書類名】明細書
【補正対象項目名】００６６
【補正方法】変更
【補正の内容】
【００６６】
この濃度で、本発明の薬剤は、トマトでの病原菌（Leveillula traurica）に対して約８０〜８５％の対照結果を与える。